(57)【要約】【課題】  下枠自身の汎用性を損なうことなく、ガイド溝の見込み方向の位置を調整可能とする片引き掃出し窓を提供することを課題する。【解決手段】  枠体２と、上吊り形式の引き戸障子３とから成り、枠体２に四周に亘って装着したシール部材９０により、引き戸障子３の屋内外をシールすると共に、枠体２の下枠１２の上端面を、下枠１２に接する屋内床面Ａおよび屋外床面Ｂと面一に配設した片引きの掃出し窓１において、下枠１２に形成した下凹部４６に装着され、引き戸障子３に垂設したガイド突起１１７の移動をガイドする下ガイドアタッチメント５４を備え、下ガイドアタッチメント５４は、屋内外方向において、ガイド突起１１７をガイドするガイド溝部５６と、下枠１２の上端面の一部を構成する足着突部５７と、を有している。【選択図】  図２
2006328918.tif 000002
【特許請求の範囲】
【請求項１】
枠体と、前記枠体に開閉自在に装着した上吊り形式の引き戸障子とから成り、前記枠体に四周に亘って装着したシール部材により、前記引き戸障子の屋内外をシールすると共に、前記枠体の下枠の上端面を、前記下枠に接する屋内床面および屋外床面と面一に配設した片引き掃出し窓において、
前記下枠に形成した下凹部に装着され、前記引き戸障子に垂設したガイド突起の移動をガイドする下ガイドアタッチメントを備え、
前記下ガイドアタッチメントは、屋内外方向において、前記ガイド突起をガイドするガイド溝部と、前記下枠の上端面の一部を構成する足着突部と、を有していることを特徴とする片引き掃出し窓。
【請求項２】
前記下枠の下凹部の屋外側内面には、前記シール部材の下シール部が装着され、
前記引き戸障子の下端部には、前記下シール部に密接する密接片が取り付けられていることを特徴とする請求項１に記載の片引き掃出し窓。
【請求項３】
前記枠体の上枠に形成した上凹部に装着され、前記引き戸障子に立設した吊り車の移動をガイドする上ガイドアタッチメントを、更に備えたことを特徴とする請求項１または２に記載の片引き掃出し窓。
【請求項４】
前記引き戸障子の上端部には、戸先側および戸尻側にそれぞれ前記吊り車が設けられ、且つ下端部には、戸先側および戸尻側に前記ガイド突起がそれぞれ設けられており、
閉塞直前位置から閉塞完了位置に移動する前記引き戸障子を、屋外側に微小移動させる引寄せ機構を、更に備え、
前記引寄せ機構は、前記上ガイドアタッチメントに連なると共に一対の前記吊り車に対応して設けられ、前記引き戸障子の屋外側に微小移動を案内する戸先上ガイドブロックおよび戸尻上ガイドブロックと、
前記下ガイドアタッチメントに連なると共に一対の前記ガイド突起に対応して設けられ、前記引き戸障子の屋外側に微小移動を案内する戸先下ガイドブロックおよび戸尻下ガイドブロックと、を有していることを特徴とする請求項３に記載の片引き掃出し窓。
【請求項５】
前記引寄せ機構は、前記引き戸障子の戸先端部に設けた複数の戸先引寄せ部材、およびこれに対応して前記枠体の戸先側縦枠に設けた複数の戸先引寄せ受け部材と、
前記引き戸障子の戸尻端部に設けた複数の戸尻引寄せ部材、およびこれに対応して前記枠体の戸尻側縦枠に設けた複数の戸尻引寄せ受け部材と、を更に有していることを特徴とする請求項４に記載の片引き掃出し窓。
【請求項６】
前記吊り車は、少なくとも一対のホイールと、前記一対のホイールをその軸端部に回転自在に軸支する吊り車軸と、前記吊り車軸に対し軸方向にスライド自在に係合するホイールベースと、前記ホイールベースと前記引き戸障子とを連結する吊設部材と、を有し、
前記吊り車軸に対する前記ホイールベースのスライドストロークは、前記引き戸障子の屋外側への微小移動における移動距離に対応していることを特徴とする請求項４または５に記載の片引き掃出し窓。
【発明の詳細な説明】
【技術分野】
【０００１】
本発明は、下枠の上端面を屋内床面および屋外床面と面一に構成した上吊り式の片引き掃出し窓に関するものである。
【背景技術】
【０００２】
下枠の上端面を屋内床面および屋外床面と面一に構成したバリアフリー設計ではないが、窓枠にスライディング障子およびフィクス障子を組み込んだ上吊り式の片引き掃出し窓が知られている（特許文献１参照）。この片引き掃出し窓は、断面略逆「Ｕ」字状に形成した上枠の内側に、内向きガイド片および外向きガイド片から成る上ガイド部を一体に形成すると共に、下枠の上部に、上向きあり溝形状の下ガイド部を一体に形成している。
一方、スライディング障子の上端部には一対の吊り車が設けられ、下端部には一対のガイド突起が設けられており、スライディング障子は、吊り車に設けた上ガイドローラを上記の上ガイド部に、ガイド突起に設けた下ガイドローラを上記の下ガイド部に、それぞれ案内されるようにして開閉動作される。
【特許文献１】特開２００４−３４６５８２号公報
【発明の開示】
【発明が解決しようとする課題】
【０００３】
ところで、このような従来の片引き掃出し窓を、下枠の上端面を屋内床面および屋外床面と面一に構成したバリアフリー設計とした場合、その下枠に、障子に設けたシール部材用の密接片が臨む溝（溝条）、および下ガイドローラが臨む溝（下ガイド部）をそれぞれ形成する必要があるため、断面形状が複雑になり下枠の汎用性（例えばスウィング障子と兼用）が損なわれると共に、これら溝を下枠一体構造（形材）とすることにより、使用するシール部材の突出寸法や下ガイドローラの見込み方向の取付け位置精度に対する、ガイド溝の見込み方向の位置調整が不可能となることが想定される。
【０００４】
本発明は、下枠自身の汎用性を損なうことなく、ガイド溝の見込み方向の位置を調整可能とする片引き掃出し窓を提供することをその課題としている。
【課題を解決するための手段】
【０００５】
本発明の片引きの掃出し窓は、枠体と、枠体に開閉自在に装着した上吊り形式の引き戸障子とから成り、枠体に四周に亘って装着したシール部材により、引き戸障子の屋内外をシールすると共に、枠体の下枠の上端面を、下枠に接する屋内床面および屋外床面と面一に配設した片引きの掃出し窓において、下枠に形成した下凹部に装着され、引き戸障子に垂設したガイド突起の移動をガイドする下ガイドアタッチメントを備え、下ガイドアタッチメントは、屋内外方向において、ガイド突起をガイドするガイド溝部と、下枠の上端面の一部を構成する足着突部と、を有していることを特徴とする。
【０００６】
この構成によれば、下枠の下凹部に装着した下ガイドアタッチメントにより、引き戸障子のガイド突起をガイドするようにしているため、下枠にガイド突起のためのガイド部分を一体に成形する必要がなく、下枠を単純な断面形状とすることができる。また、下枠に対する下ガイドアタッチメントの取付け位置を見込み方向に微調整することで、使用するシール部材の突出寸法や下ガイドローラの見込み方向の取付け位置精度に対応させることができる。さらに、下ガイドアタッチメントのガイド溝部を最小幅とすることで、足着突部を幅広とすることがき、下枠上における車椅子等の走行を円滑にすることができる。
なお、下枠の上端面を、屋内床面および屋外床面と「面一」に配設とは、下枠の上端面と、屋内床面および屋外床面との間に、段差が全く無い場合はもちろん、車椅子等の走行の障害とならない程度の段差（例えば２０ｍｍ程度）がある場合も含む概念である。
【０００７】
この場合、下枠の下凹部の屋外側内面には、シール部材の下シール部が装着され、引き戸障子の下端部には、下シール部に密接する密接片が取り付けられていることが、好ましい。
【０００８】
この構成によれば、引き戸障子の框体の汎用性を損なうことなく、引き戸障子の下端部におけるシール性を維持することができる。
【０００９】
これらの場合、枠体の上枠に形成した上凹部に装着され、引き戸障子に立設した吊り車の移動をガイドする上ガイドアタッチメントを、更に備えることが好ましい。
【００１０】
この構成によれば、上枠においても、断面形状の単純化と汎用性を達成することができ、且つ上ガイドアタッチメントの取付け調整が可能となる。
【００１１】
この場合、引き戸障子の上端部には、戸先側および戸尻側にそれぞれ吊り車が設けられ、且つ下端部には、戸先側および戸尻側にガイド突起がそれぞれ設けられており、閉塞直前位置から閉塞完了位置に移動する引き戸障子を、屋外側に微小移動させる引寄せ機構を、更に備え、引寄せ機構は、上ガイドアタッチメントに連なると共に一対の吊り車に対応して設けられ、引き戸障子の屋外側に微小移動を案内する戸先上ガイドブロックおよび戸尻上ガイドブロックと、下ガイドアタッチメントに連なると共に一対のガイド突起に対応して設けられ、引き戸障子の屋外側に微小移動を案内する戸先下ガイドブロックおよび戸尻下ガイドブロックと、を有していることが、好ましい。
【００１２】
この構成によれば、引寄せ機構により、引き戸障子の摺接によるシール部材の損傷や変形を防止することができると共に、引き戸障子のシール性を向上させることができる。また、上記４種のガイドブロックと上下のガイドアタッチメントにより、下枠および上枠への切欠き加工が不要となる。
なお、上ガイドアタッチメント、戸先上ガイドブロックおよび戸尻上ガイドブロック、並びに下ガイドアタッチメント、戸先下ガイドブロックおよび戸尻下ガイドブロックを、それぞれ樹脂等で一体に成形してもよい。
【００１３】
この場合、引寄せ機構は、引き戸障子の戸先端部に設けた複数の戸先引寄せ部材、およびこれに対応して枠体の戸先側縦枠に設けた複数の戸先引寄せ受け部材と、引き戸障子の戸尻端部に設けた複数の戸尻引寄せ部材、およびこれに対応して枠体の戸尻側縦枠に設けた複数の戸尻引寄せ受け部材と、を更に有していることが、好ましい。
【００１４】
この構成によれば、閉塞状態の引き戸障子が、四周に亘ってシール部材に均一に且つ強く押し付けられるため、より一層、引き戸障子のシール性を向上させることができる。
【００１５】
これらの場合、吊り車は、少なくとも一対のホイールと、一対のホイールをその軸端部に回転自在に軸支する吊り車軸と、吊り車軸に対し軸方向にスライド自在に係合するホイールベースと、ホイールベースと引き戸障子とを連結する吊設部材と、を有し、吊り車軸に対するホイールベースのスライドストロークは、引き戸障子の屋外側への微小移動における移動距離に対応していることが、好ましい。
【００１６】
この構成によれば、引寄せ機構による引き戸障子の屋外側への微小移動に対し、ホイールベースが吊り車軸上を軸方向に無理なく移動するため、吊り車のホイールにスラスト力が作用することがなく、引寄せ動作を円滑に行うことができると共に、吊り車の寿命を延ばすことができる。
【発明の効果】
【００１７】
以上のように、本発明の片引き掃出し窓によれば、下枠を単純な断面形状とすることができるため、下枠の汎用性を高めることができる。また、下枠に対する下ガイドアタッチメントの取付け位置を見込み方向に微調整することで、ガイド溝部の位置を調整することができ、使用するシール部材の突出寸法や下ガイドローラの見込み方向の取付け位置に精度良く対応させることができる。さらに、下枠に生ずる見込み方向の間隙を極力狭くすることができる。
【発明を実施するための最良の形態】
【００１８】
以下、添付図面を参照して、本発明の一実施形態に係る上吊り式の片引き掃出し窓について説明する。図１の屋内側姿図に示すように、この片引き掃出し窓１は、共通の窓枠２に、片引き形式の上吊りスライディング障子３と、開放状態の上吊りスライディング障子３と重なるフィックス障子４（図５参照）と、を組み込んで構成されている。屋内側から見て、フィックス障子４は窓枠２の右半部に組み込まれ、上吊りスライディング障子３は窓枠２の左半部に組み込まれている。上吊りスライディング障子３の左端部（戸先側）には、屋内側に開閉ハンドル５が設けられ、且つその内部には開閉ハンドル５により操作される錠ユニット６が組み込まれている。なお、以降の説明では、屋内側から見て右を単に「右」とし、左を単に「左」とする。
【００１９】
図２ないし図５に示すように、窓枠２は、上枠１１、下枠１２、左側の戸先縦枠１３および右側の戸尻縦枠１４を四周枠組みすると共に、上枠１１と下枠１２との間において、戸先縦枠１３および戸尻縦枠１４の中間位置に中骨１５を組み込んで、構成されている。そして、これら窓枠２の各構成枠材はいずれもアルミニウムの押出し形材等で構成されている。下枠１２の上端面は、屋内側の居室床Ａおよび屋外側のバルコニーに設けたデッキ床Ｂと面一に配設されており、いわゆるバリアフリーの窓を構成している。
【００２０】
上枠１１、下枠１２、戸先縦枠１３および戸尻縦枠１４で区画された屋内側部分には、上吊りスライディング障子３がスライド自在に装着され、上枠１１、下枠１２、中骨１５および戸尻縦枠１４で区画された屋外側部分には、フィックス障子４が装着されている。また、上枠１１、下枠１２、戸先縦枠１３および中骨１５で区画された屋外側部分には、フィックス障子４と見付け方向に横並びとなるように可動網戸７が、開閉自在に装着されている。
【００２１】
図２および図３に示すように、上枠１１は、水切り用の傾斜面を有する上枠中空部２２と、上枠中空部２２の下側にあって屋外側に配設した固定障子上支持部２３と、上枠中空部２２の見込み方向の屋内側に配設した可動障子上支持部２４と、可動障子上支持部２４の上側に連なると共に上面が開放された上アンカー固定部２５と、で一体に形成された上枠本体２１を備えると共に、可動障子上支持部２４の屋内側に添設するようにねじ止めした天井見切り片２６を備えている。
【００２２】
固定障子上支持部２３は、逆略「Ｕ」字状に形成されており、その右半部には下側からフィックス障子４の上端部が水密に装着され、左半部には上網戸ベース１０６を介して可動網戸７の上端部が装着されている。
【００２３】
可動障子上支持部２４は、上下中間位置に対向するように突設した前後一対のレール片３１，３１を有すると共に、一対のレール片３１，３１の下方に位置して、内向き水平片部３２およびに内向き水平片部３２と段違い対峙する外向き水平片部３３とを有している。そして、一対のレール片３１，３１上には、後述する上吊りスライディング障子３の吊り車１１６が転動するようになっている。また、内向き水平片部３２には外ガイドアタッチメント３５がねじ止めされ、外向き水平片部３３には内ガイドアタッチメント３６がねじ止めされている。
【００２４】
一対のレール片３１，３１の間隙にはスリット開口３７が構成され、また上ガイドアタッチメント３４を構成する外ガイドアタッチメント３５と内ガイドアタッチメント３６との間隙にはガイド開口３８が構成されている。そして、スリット開口３７には、後述する吊り車１１６のホイールベース１３３から下方に延びる吊設部材１３４が臨み、ガイド開口３８には、吊設部材１３４（の上ガイドローラ１３５）が摺接するように臨んでいる。すなわち、吊り車１１６は、吊設部材１３４を介して外ガイドアタッチメント３５および内ガイドアタッチメント３６に案内され、一対のレール片３１，３１上を転動する。
【００２５】
詳細は後述するが、上ガイドアタッチメント３４の見付け方向の両外側には、上戸先ガイドブロック１４１および上戸尻ガイドブロック１４６が連続するように配設されており（図６および図７参照）、この両ガイドブロック１４１，１４６に案内されて、閉塞直前位置から閉塞完了位置に移動する上吊りスライディング障子３は、その上端部において屋外側に僅かに引き寄せられる（微小移動）ようになっている。そして、この引寄せ動作により、上吊りスライディング障子３の上端部（上框）は、可動障子上支持部２４の屋外側内面に装着した上シール部材９１に密接する。
【００２６】
下枠１２は、底面を傾斜面とするクランク状の主中空部４２と、主中空部４２の下側に連なる小さな副中空部４３と、主中空部４２の屋内側に連なると共に下面が開放された下アンカー固定部４４と、主中空部４２の上側にあって屋外側に配設した固定障子下支持部４５と、主中空部４２および下アンカー固定部４４の上側にあって屋内側に配設した可動障子下支持部４６と、で一体に形成された下枠本体４１を備えると共に、可動障子下支持部４６の屋内側に添設するようにねじ止めした床見切り片４７を備えている。
【００２７】
固定障子下支持部４５の底面および可動障子下支持部４６の底面には、それぞれ水抜き孔４５ａ，４６ａが形成され、両水抜き孔４５ａ，４６ａは、主中空部４２に連通している。また、主中空部４２の底面には、主中空部４２内の排水（雨水）をバルコニーに流下させる排水孔４２ａが形成されている。固定障子下支持部４５に吹き込んだ雨水は、その水抜き孔４５ａから主中空部４２を通ってバルコニーに排水される。同様に、後述の下シール部材９２を越えて可動障子下支持部４６に浸入した雨水も、その水抜き孔４６ａから主中空部４２を通ってバルコニーに排水される。
【００２８】
固定障子下支持部４５は、上記の固定障子上支持部２３に対峙しており、断面略「Ｕ」字状に形成されている。固定障子下支持部４５の右半部には上側からフィックス障子４の下端部が水密に装着され、左半部には下網戸ベース１０７を介して可動網戸７の下端部が装着されている。
【００２９】
可動障子下支持部４６は、上記の可動障子上支持部２４に対峙しており、浅い断面略「Ｕ」字状を為している。すなわち、可動障子下支持部４６は、水平ベース片部５１と、水平ベース片部５１の見込み方向の両端部から立ち上がる外立設片５２および内立設片５３と、を有しており、その内部には、水平ベース片部５１にねじ止めするようにして、上記の上ガイドアタッチメント３４に対峙する下ガイドアタッチメント５４が配設されている。
【００３０】
下ガイドアタッチメント５４は、内立設片５３側に寄せて配設されており、断面凹状に形成された屋外側のガイド溝部５６と、断面凸状に形成された屋内側の足着突部５７と、で断面クランク状を為して一体に形成されている。足着突部５７の上面は平坦に形成され、上記のデッキ床Ｂおよび居室床Ａと面一に配設した下枠１２の上面の一部を構成している。また、ガイド溝部５６は、後述する上吊りスライディング障子３のガイド突起１１７（下ガイドローラ１３９）が摺接して、その開閉移動をガイドする。
【００３１】
詳細は後述するが、下ガイドアタッチメント５４の見付け方向の両外側には、上記の上戸先ガイドブロック１４１と対を為す下戸先ガイドブロック１５１、および上戸尻ガイドブロック１４６と対を為す下戸尻ガイドブロック１５６が連続するように配設されており（図８および図９参照）、この両ガイドブロック１４６、１５６により、閉塞直前位置から閉塞完了位置に移動する上吊りスライディング障子３は、その下端部において屋外側に僅かに引き寄せられる（微小移動）ようになっている。そして、この引寄せ動作により、上吊りスライディング障子３の下端部（下框）は、可動障子下支持部４６（外立設片５２）の屋外側内面に装着した下シール部材９２に密接する。
【００３２】
図４および図５に示すように、戸先縦枠１３は、屋外側の網戸収容部６２と、網戸収容部６２の屋内側に連なる長方形の縦枠中空部６３と、縦枠中空部６３に背あわせに配設した戸先アンカー固定部６４と、縦枠中空部６３の屋外側から内向きに延びる縦枠シール取付け部６５と、で一体に形成された戸先縦枠本体６１を備えると共に、戸先アンカー固定部６４の屋内側に添設するようにねじ止めした戸先見切り片６６を備えている。そして、縦枠シール取付け部６５の屋外側内面には、上記の引寄せ動作により、上吊りスライディング障子３の戸先端部（戸先縦框１１３）が密接する戸先シール部材９３が装着されている。
【００３３】
同様に、戸尻縦枠１４は、屋外側の固定障子縦支持部７２と、固定障子縦支持部７２の屋内側に連なる戸尻アンカー固定部７３と、で一体に形成された戸尻縦枠本体７１を備えると共に、固定障子縦支持部７２に屋内側から係合する縦枠押し縁７４、および戸先アンカー固定部６４の屋内側に添設するようにねじ止めした戸尻見切り片７５を備えている。
【００３４】
中骨１５は、正方形の中骨中空部８２と、中骨中空部８２から内向きに延びる固定障子中支持部８３と、中骨中空部８２の屋内側の面に突設した中骨シール取付け部８４と、中骨中空部８２および固定障子中支持部８３の端から屋外側に突出した一対のリブ片８５，８５と、で一体に形成された中骨本体８１を備えると共に、固定障子中支持部８３に屋内側から係合する中骨押し縁８６を備えている。そして、中骨シール取付け部８４には、上記の引寄せ動作により、上吊りスライディング障子３の戸尻端部（戸尻縦框１１４）が密接する戸尻シール部材９４が装着されている。なお、シールの面からみると中骨１５は、閉塞状態の上吊りスライディング障子３に対し、戸尻側の縦枠として機能する。
【００３５】
なお、後述する上吊りスライディング障子３の戸尻縦框１１４と中骨１５とは、見付け方向に位置ずれして重なるようになっている。これにより、フィックス障子４は、その複層ガラス９６の交換を屋内側から押し縁形式で行い得るようになっており、同様に上吊りスライディング障子３は、その複層ガラス１１５の交換を屋外側から押し縁形式で行い得るようになっている。すなわち、上吊りスライディング障子３を窓枠から外すことなく、その複層ガラス１１５の交換が可能になっている。
【００３６】
また、後述する上吊りスライディング障子３の框体１１０と密接する上シール部材９１（図２参照）、下シール部材９２、戸先シール部材９３および戸尻シール部材９４は、コーナー部分を折り曲げて装着した一体のもので構成されている。すなわち、実施形態のシール部材９０（エアータイト材）は、装着部となる硬質樹脂とシール部となる軟質樹脂と、をいわゆる２色成形により形成した１本ものを、上枠１１、下枠１２、戸先縦枠１３および中骨１５から成る四周枠に連続するように装着したものであり、その両端を上枠１１の部分で突き合せている。もっとも、この１本もののシール部材９０を、生産段階で環状（無端）に形成してもよい。
【００３７】
図３および図４に示すように、フィックス障子４は、断熱および防音を考慮した複層ガラス９６で構成されており、上端部を上枠１１の固定障子上支持部２３に、下端部を下枠１２の固定障子下支持部４５に、右側端部を戸尻縦枠１４に、左側端部を中骨１５に、それぞれ気密に且つ押し縁形式で装着されている（ガスケットを介在）。図２および図４に示すように、可動網戸７は、上ガイド枠１０１、下ガイド枠１０２、戸先枠１０３および戸尻枠１０４に、折込み網体１０５を組み込んで構成されており、固定障子上支持部２３、固定障子下支持部４５、戸先縦枠１３および中骨１５に開閉自在に装着されている。すなわち、可動網戸７は、上下両網戸ベース１０６，１０７を用いることで、フィックス障子４を装着するための各構成枠部を利用して、装着されており、且つ開閉状態を含め、見込み方向においてフィックス障子４と同位置に収まっている。
【００３８】
図２および図４に示すように、上吊りスライディング障子３は、上框１１１、下框１１２、戸先縦框１１３および戸尻縦框１１４を四周框組みした框体１１０と、これに組み込んだ複層ガラス１１５と、框体１１０（上框１１１）の上端から上方に延びる一対の吊り車１１６，１１６と、框体１１０（下框１１２）の下端から下方に延びる一対のガイド突起１１７，１１７とで構成されている。一対の吊り車１１６，１１６は、戸先側と戸尻側とに離間して配設され、これに対応して一対のガイド突起１１７，１１７も、戸先側と戸尻側とに離間して配設されている（図１参照）。
【００３９】
上框１１１には、その上面にねじ止めするようにして上記の上シール部材９１に密接する上密接片１２１が突設されている。上密接片１２１は、上框１１１の屋外側に起立する密接片部１２２と上框１１１の上面に固定される固定片部１２３とで、略「Ｌ」字状に一体に形成されている。同様に、下框１１２には、その下面にねじ止めするようにして上記の下シール部材９２に密接する下密接片１２４が突設されている。下密接片１２４は、下框１１２の屋外側に下垂する密接片部１２５と下框１１２の下面に固定される固定片部１２６とで、略逆「Ｌ」字状に一体に形成されている。この場合、上密接片１２１の密接片部１２２は、上枠１１の可動障子上支持部２４の内部に入り込み、下密接片１２４の密接片部１２５は、下枠１２の可動障子下支持部４６（外立設片５２と下ガイドアタッチメント５４との間隙部分）の内部に入り込むようになっている。このように、上密接片１２１および下密接片１２４を別体とすることにより、同一の形材で構成した上框１１１および下框１１２に汎用性を持たせると共に、バリアフリー（床フラット）に対応させ得るようになっている。
【００４０】
戸先縦框１１３と戸尻縦框１１４とは同一断面形状を有しており、戸先縦框１１３にはその上下中間位置に上記の開閉ハンドル５が取り付けられると共に、上記の錠ユニット６が内蔵されている。また、戸尻縦框１１４の見付け方向の外端面には、突当て部材１２８がねじ止めされている。そして、上吊りスライディング障子３の框体１１０は、各コーナー部分を角度４５°で接合するようになっており（図６ないし図９参照）、図示では省略したが、内部に収容した「Ｌ」字状の補強プレートで接合すると共に、相互の接合端間に樹脂製の接合板を介設するようにしている
【００４１】
各吊り車１１６は、ベアリングを内蔵した一対２組のホイール１３１，１３１と、各一対のホイール１３１間に渡されホイール１３１を回転自在に軸支する吊り車軸１３２と、一対の吊り車軸１３２，１３２を回転自在に支持するホイールベース１３３と、ホイールベース１３３に吊設した吊設部材１３４と、吊設部材１３４の中間位置に回転自在に支持された上ガイドローラ１３５と、を有しており、吊設部材１３４の下端部が、スペーサ１３６を介して上框１１１にねじ止めされている（図６および図７参照）。吊り車軸１３２に対するホイールベース１３３の軸方向におけるスライドストロークは、上記の引寄せ動作により見込み方向に微小移動する上吊りスライディング障子３の移動寸法とほぼ合致しており、上吊りスライディング障子３の屋外側への微小移動に伴って、ホイールベース１３３が吊り車軸１３２上を屋外側にスライドする。これにより、上吊りスライディング障子３を無理なく引寄せ動作させることができるようになっている。
【００４２】
各ガイド突起１１７は、上端部を下框１１２にねじ止めした軸状部材１３８と、軸状部材１３８に回転自在に支持された下ガイドローラ１３９と、を有している。上吊りスライディング障子３は、上枠１１に形成した一対のレール片３１，３１上を転動する吊り車１１６により、上吊り形式で開閉され、またその際、上ガイドローラ１３５は上枠１１の上ガイドアタッチメント３４（のガイド開口３８）に転接するようにしてガイドされ、下ガイドローラ１３９は下枠１２の下ガイドアタッチメント５４（のガイド溝部５６）に転接するようにしてガイドされる。また、詳細は後述するが、上吊りスライディング障子３に引寄せ力が作用する範囲において、戸先側の上ガイドローラ１３５は戸先上ガイドブロック１４１に、戸尻側の上ガイドローラ１３５は戸尻上ガイドブロック１４６にそれぞれガイドされ、また戸先側の下ガイドローラ１３９は戸先下ガイドブロック１５１に、戸尻側の下ガイドローラ１３９は戸尻下ガイドブロック１５６にそれぞれガイドされる。
【００４３】
ここで、図６ないし図９を参照して、上吊りスライディング障子３の引寄せ機構について、詳細に説明する。上述したように、上吊りスライディング障子３は、一対の吊り車１１６，１１６を介して見込み方向に微小移動可能に構成され、且つ戸先上ガイドブロック１４１および戸尻上ガイドブロック１４６によりその上部を、戸先下ガイドブロック１５１および戸尻下ガイドブロック１５６によりその下部を、それぞれガイドされて引き寄せられる。
【００４４】
また、この引寄せ動作は、上吊りスライディング障子３が閉塞直前位置から閉塞完了位置に至る移動範囲で為され、また引寄せ解除動作は、閉塞完了位置から開放直後位置に至る移動範囲でなされる。このため、この移動範囲において、戸先側の上下両ガイドローラ１３５，１３９が戸先上下両ガイドブロック１４１，１５１に案内され、戸尻側の上下両ガイドローラ１３５，１３９が戸尻上下両ガイドブロック１４６、１５６にそれぞれガイドされるように、各ガイドブロックが配置されている。具体的には、戸先上下両ガイドブロック１４１，１５１は、閉塞状態の上吊りスライディング障子３の戸先縦框１１３の直上および直下に配設され、戸尻上下両ガイドブロック１４６、１５６は、戸尻縦框１１４の直上および直下に配設されている。
【００４５】
戸先上ガイドブロック１４１は、上記の可動障子上支持部２４に収容するようにして固定したブロック本体１４２と、ブロック本体１４２に形成したガイド溝１４３と、で樹脂一体に形成されており、上ガイドアタッチメント３４の戸先側端に連なるように配設されている。ガイド溝１４３は、上ガイドアタッチメント３４のガイド開口３８と同幅に且つガイド開口３８と連続するように配設されている。そして、ガイド溝１４３は、延在方向（見付け方向）の略中間位置で屋外側に斜めに屈曲している。すなわち、上ガイドローラ１３５が、この屈曲位置から終端位置に移動することで、上記の引寄せ動作が行われる。
【００４６】
戸尻上ガイドブロック１４６は、上記の可動障子上支持部２４に収容するようにして固定したブロック本体１４７と、ブロック本体１４７に形成したガイド溝１４８と、で樹脂一体に形成されており、上ガイドアタッチメント３４の戸尻側端に連なるように配設されている。ガイド溝１４８は、上ガイドアタッチメント３４のガイド開口３８と同幅に且つガイド開口３８と連続するように配設されている。そして、ガイド溝１４８は、延在方向（見付け方向）の略中間位置で屋外側に山形に屈曲している。すなわち、上ガイドローラ１３５が、この山形の裾野位置から頂位置に移動することで、上記の引寄せ動作が行われる。なお、上ガイドアタッチメント３４は、戸尻上ガイドブロック１４６のさらに先となる、フィックス障子４に面する部分にも設けられている。
【００４７】
同様に、戸先下ガイドブロック１５１は、上記の可動障子下支持部４６に収容するようにして固定したブロック本体１５２と、ブロック本体１５２に形成したガイド溝１５３と、で樹脂一体に形成されており、下ガイドアタッチメント５４の戸先側端に連なるように配設されている。ガイド溝１５３は、下ガイドアタッチメント５４のガイド溝部５６と同幅に且つガイド溝部５６と連続するように配設されている。そして、ガイド溝１５３は、延在方向（見付け方向）の略中間位置で屋外側に斜めに屈曲している。すなわち、下ガイドローラ１３９が、この屈曲位置から終端位置に移動することで、上記の引寄せ動作が行われる。
【００４８】
同様に、戸尻下ガイドブロック１５６は、上記の可動障子下支持部４６に収容するようにして固定したブロック本体１５７と、ブロック本体１５７に形成したガイド溝１５８と、で樹脂一体に形成されており、下ガイドアタッチメント５４の戸尻側端に連なるように配設されている。ガイド溝１５８は、下ガイドアタッチメント５４のガイド溝部５６と同幅に且つガイド溝部５６と連続するように配設されている。そして、ガイド溝１５８は、延在方向（見付け方向）の略中間位置で屋外側に山形に屈曲している。すなわち、下ガイドローラ１３９が、この山形の裾野位置から頂位置に移動することで、上記の引寄せ動作が行われる。
【００４９】
一方、図１、図４および図５に示すように、上吊りスライディング障子３の戸先縦框１１３には、その戸先面の上下２箇所に樹脂製の戸先引寄せブロック１６１が、それぞれ取り付けられている。また、両戸先引寄せブロック１６１に対応して、戸先縦枠１３の縦枠中空部６３には、引寄せ受け片１６２が一体に突設されている。上吊りスライディング障子３が閉塞完了直前位置から閉塞完了位置に移動するときに、引寄せ受け片１６２に各戸先引寄せブロック１６１が係合し、戸先引寄せブロック１６１に形成した傾斜係合面１６１ａ（図５参照）の作用により、上吊りスライディング障子３の戸先側が屋外側に僅かに引き寄せられるようになっている。
【００５０】
同様に、上吊りスライディング障子３の戸尻縦框１１４には、その屋外側見付け面の上下３箇所に樹脂製の戸尻引寄せブロック１６６が、それぞれ取り付けられている。また、各戸尻引寄せブロック１６６に対応して、中骨１５には、その屋内側見付け面の上下３箇所に樹脂製の引寄せ受けブロック１６７が、それぞれ取り付けられている。上吊りスライディング障子３が閉塞直前位置から閉塞完了位置に移動するときに、各引寄せ受けブロック１６７に各戸尻引寄せブロック１６６が係合し、両ブロック１６６，１６７にそれぞれ形成した傾斜係合面（図示省略）の作用により、上吊りスライディング障子３の戸尻側が屋外側に僅かに引き寄せられるようになっている。
【００５１】
このように、各種の引寄せ機構により、閉塞直前位置から閉塞完了位置に移動するときの上吊りスライディング障子３が屋外側に微小移動（引寄せ動作）するため、上吊りスライディング障子３の框体が、上枠１１、下枠１２、戸先縦枠１３および中骨１５に連続するように設けたシール部材９０に強く密接して、気密性が維持され且つ摺動によるシール部材９０の変形や損傷を抑制することができる。また逆に、閉塞完了位置から開放直後位置に移動するときの上吊りスライディング障子３が上記と逆に微小移動（引寄せ動作）するため、摺動によるシール部材９０の変形や損傷を抑制することができる。
【００５２】
次に、図１０および図１１を参照して、錠ユニット６について詳細に説明する。錠ユニット６は、支持フレームを兼ねる錠ケース１７１と、錠ケース１７１に収容した錠装置１７２とを備えると共に、戸先縦枠１３に埋め込んだ錠受け１７３を備えている。
【００５３】
一方、錠装置１７２を施錠および解錠する上記の開閉ハンドル５は、略「コ」字状に湾曲しており、その基部が戸先縦框１１３の屋内側の見付け面に回動自在に取り付けられている。また、開閉ハンドル５のハンドル軸１７６は、断面略正方形に形成され、戸先縦框１１３の中空内部まで延び錠ケース１７１（錠装置１７２）を貫通するように配設されている。そして、開閉ハンドル５は、下向き位置から開放方向に向く横向き位置への回動操作で開操作されると共に、その横向き位置から下向き位置への回動操作で閉操作される。このように、開閉ハンドル５の開操作が下向き位置から開放方向に向く横向き位置への回動操作で行われることで、上吊りスライディング障子３の開放時において、開閉ハンドル５の開操作とこれに続く上吊りスライディング障子３のスライド開放操作とを連続的に行うことができる。
【００５４】
錠受け１７３は、戸先縦枠１３の縦枠中空部６３内に収容した袋カバー１８１と、縦枠中空部６３の正面壁６３ａに形成した縦枠開口部を覆うように設けた枠側フェースプレート１８２と、袋カバー１８１内の下部にねじ止めされ、後述する錠装置１７２のフック部材２０１を施錠させる係合受け部材１８６（フック受け）とから成り、袋カバー１８１と枠側フェースプレート１８２とは、正面壁６３ａを挟み込んで相互にねじ止めされている。枠側フェースプレート１８２には、フック部材２０１が臨むロック開口１８３が形成され、ロック開口１８３は、袋カバー１８１の内部に連通している。また、係合受け部材１８６は、断面略「Ｌ」字状に形成され、ロック開口１８３の下開口縁１８４から袋奥部に向かう下り傾斜面１８６ａ（傾斜部）を有している。そして、フック部材２０１の係合部２１６は、ロック開口１８３から袋カバー１８１の内部に入り込み、ロック開口１８３の係合受け部材１８６に係止される。
【００５５】
錠ケース１７１は、戸先縦框１１３の中空内部に収容したケース本体１９１と、戸先縦框１１３の戸先側端面壁１１３ａに形成した縦框開口部を覆うように設けた框側フェースプレート１９２とから成り、ケース本体１９１と框側フェースプレート１９２とは、戸先側端面壁１１３ａを挟み込んで相互にねじ止めされている。框側フェースプレート１９２には、フック部材２０１が突出するフック開口１９３と、後述する蹴出し部材２０３が突出する蹴出し開口１９４とが上下に形成されている。また、フック開口１９３と上記のロック開口１８３とは略同位置に配設され、蹴出し開口１９４は枠側フェースプレート１８２の下部に対峙している。すなわち、フック開口１９３から出没するフック部材２０１は、ロック開口１８３の係合受け部材１８６に対し施錠および解錠され、蹴出し開口１９４（戸先面）から突出した蹴出し部材２０３は、枠側フェースプレート１８２の下部に衝突（蹴り出し）するようになっている。
【００５６】
錠装置１７２は、錠ケース１７１の上部に、上記の戸先側端面壁１１３ａから出没して戸先縦枠１３に対し施錠および解錠するフック部材２０１と、フック部材２０１を開閉ハンドル５の開閉操作に連動して施解錠動作させる施錠機構２０２とを備えると共に、錠ケース１７１の下部に、上記の戸先側端面壁１１３ａから出没して戸先縦枠１３を相対的に押圧する蹴出し部材２０３と、蹴出し部材２０３を開閉ハンドル５の開操作に連動して突出させる蹴出し機構２０４とを備えている。また、錠装置１７２は、錠ケース１７１の上下略中心位置に貫通したハンドル軸１７６に固定され、開閉ハンドル５の正逆回動操作を施錠機構２０２および蹴出し機構２０４に伝達する入力部材２０５を備えている。
【００５７】
さらに、錠装置１７２には、蹴出し部材２０３を没入する方向に付勢する戻しばね２０６と、蹴出し機構２０４の係脱作動部材２３１（後述する）を回動付勢する係合ばね２０７とが備えられている。
【００５８】
入力部材２０５には、開閉ハンドル５の正逆回動操作を施錠機構２０２に伝達するクランク突起２１１と、開閉ハンドル５の正逆回動操作を蹴出し機構２０４の係脱作動部材２３１（後述する）に伝達する作動突起２１２とが一体に形成されている。クランク突起２１１と作動突起２１２とは、互いに略９０°の角度を為しており、開閉ハンドル５の開操作開始時（閉操作完了時）、すなわち開閉ハンドル５が下向き位置にあるときには、クランク突起２１１が上向き位置、作動突起が戸先側に向く横向き位置となり（図１０参照）、開閉ハンドル５の閉操作開始時（開操作完了時）、すなわち開閉ハンドル５が横向き位置にあるときには、クランク突起２１１が戸先側に向く横向き位置、作動突起２１２が下向き位置となる（図１３（ａ）参照）。なお、図１１は、開閉ハンドル５の開操作の完了直前における錠装置１７２の状態を示しており、クランク突起２１１が略横向き位置、作動突起２１２が略下向き位置となっている。
【００５９】
フック部材２０１は、金属プレート等で構成され、上記のロック開口１８３の係合受け部材１８６に係合する先端の係合部２１６と、係合部２１６から屈曲するように連なる屈曲部２１７と、屈曲部２１７に連なり、略中央部にフック支軸２１５を形成した支軸形成部２１８とで鎌錠形状に一体形成されており、フック支軸２１５を中心に、係合受け部材１８６に係合した施錠位置と、錠ケース１７１内に完全に収容された解錠位置との間で回動自在に構成されている。
【００６０】
また、フック部材２０１は、上吊りスライディング障子３がきちんと閉められていない状態であっても、施錠位置に回動するに従って、上記の係合受け部材１８６の下り傾斜面１８６ａを利用して、すなわち、係合部２１６が下り傾斜面１８６ａに案内されて回動することで、ロック開口１８３の係合受け部材１８６を引き付けるようになっている。すなわち、戸先縦框１１３と戸先縦枠１３との間にある程度の間隙がある状態で、開閉ハンドル５を閉操作してフック部材２０１を施錠しようとした場合にも、フック部材２０１が係合受け部材１８６を引き付けることができるため、上記の間隙が解消され、適切に施錠を行うことができる。なお、係合受け部材１８６の下り傾斜面１８６ａを、ロック開口１８３の下開口縁１８４に連なる水平面と水平面に連なる垂下面とから成る角部に形成してもよい。この場合、フック部材２０１の屈曲部２１７の傾斜端面２１９（傾斜部）を利用して、すなわち、傾斜端面２１９が係合受け部材１８６の角部に案内されて回動することで、フック部材２０１係合受け部材１８６を引き付けることができる。
【００６１】
施錠機構２０２は、入力部材２０５のクランク突起２１１とフック部材２０１（支軸形成部２１８）の尾端部とを連結するリンクバー２２１と、フック部材２０１の下方近傍に配設されたフック規制ばね２２２とを有している。
【００６２】
リンクバー２２１は、入力部材２０５の回転軸（ハンドル軸１７６）からフック部材２０１のフック支軸２１５に至るリンク機構を構成しており、フック部材２０１は、このリンク機構により入力部材２０５の回動方向とは逆方向に回動するようになっている。
【００６３】
すなわち、開閉ハンドル５の開操作により、入力部材２０５が回動してクランク突起２１１が上向き位置から横向き位置になると、フック部材２０１が施錠位置（フック支軸２１５に対して係合部２１６が横向き）から解錠位置（フック支軸２１５に対して係合部２１６が上向き）まで回動し（図１２参照）、開閉ハンドル５の閉操作により、入力部材２０５が回動してクランク突起２１１が横向き位置から上向き位置になると、フック部材２０１が解錠位置（上向き位置）から施錠位置（横向き位置）まで回動する（図１３参照）。したがって、フック部材２０１は、施錠状態が横向き位置、解錠状態が上向き位置となり、戸先縦枠１３に対する衝撃等により施錠状態から解錠状態となることを防止することができる。
【００６４】
フック規制ばね２２２は、ねじりコイルばねで構成され、その一端は、リンクバー２２１とフック部材２０１との連結部と略９０°の角度を為すように、フック支軸２１５の近傍に取り付けられ、他端は、ケース本体１９１から突設させた取付けピン２２３に取り付けられている。そして、フック規制ばね２２２は、両取付け端およびフック支軸２１５が直線上に並ぶとき、すなわちフック部材２０１が施錠位置と解錠位置の略中間位置にあるときに、最も圧縮された状態となるように設けられている。
【００６５】
このため、フック規制ばね２２２は、フック部材２０１が施錠位置から解錠位置へ回動する際、略中間位置に至るまでは、これを施錠位置に戻そうとする方向に付勢するが、フック部材２０１が略中間位置を過ぎると、これを解錠位置まで一気に移動するように付勢する。同様に、フック規制ばね２２２は、フック部材２０１が解錠位置から施錠位置へ回動する際、略中間位置に至るまでは、これを解錠位置の方向に付勢するが、フック部材２０１が略中間位置を過ぎると、これを施錠位置の方向に付勢する。
【００６６】
このように、フック部材２０１の施錠位置と解錠位置との略中間位置でフック支軸２１５に対する付勢方向が死点越えするフック規制ばね２２２を備えたことで、開閉ハンドル５を少し回動させただけではフック部材２０１を解錠あるいは施錠させることがないと共に、施錠操作時には、フック部材２０１を施錠位置まで確実に回動させることができ、解錠操作時には、フック部材２０１を解錠位置まで確実に回動させることができる。
【００６７】
一方、蹴出し部材２０３は、戸先縦枠１３への押圧面を有する押圧部２２６と、押圧部２２６に連続し、後述する係合溝２２８を有する溝形成部２２７とで一体に形成されており、ケース本体１９１の底面に設置するようにして収納されている。そして、蹴出し開口１９４の開口縁をガイドにして、突出位置と没入位置との間で進退自在に構成されている。
【００６８】
係合溝２２８は、溝形成部２２７の上縁に開口させて、戸先側から戸尻側に斜め下方に形成されており、戸先側の突当て係合面２２８ａと、戸尻側の逃げ面２２８ｂとを有している。開閉ハンドル５の開操作により係脱作動部材２３１が回動すると（詳細は後述する）、係脱作動部材２３１の尾端部２３３ａが係合溝２２８の突当て係合面２２８ａと係合することで、蹴出し部材２０３が突出位置へ前進する。
【００６９】
また、ケース本体１９１の戸尻側内面下部と、溝形成部２２７の押圧部２２６側下部との間には、上記の戻しばね２０６（コイルばね）が張架されている。このため、蹴出し部材２０３は、蹴出し機構２０４により開閉ハンドル５の回動動作が伝達されると、戻しばね２０６に抗して突出位置へ前進し、係脱作動部材２３１により蹴出し機構２０４との係合が解除されると、戻しばね２０６に付勢されて没入位置へ後退する（詳細は後述する）。
【００７０】
蹴出し機構２０４は、開閉ハンドル５の開操作で蹴出し部材２０３に係合すると共に、その開操作の完了直前に蹴出し部材２０３との係合を解除する係脱作動部材２３１を有している。係脱作動部材２３１は、略「Ｌ」字形状を有しており、その屈曲部位（長手方向の略中間位置）から延びる短腕２３２と長腕２３３とで一体に形成され、屈曲部位に形成された部材支軸２３４を中心に回動自在に構成されている。また、部材支軸２３４には、係脱作動部材２３１を、蹴出し部材２０３が突出する方向へ回動付勢する係合ばね２０７（ねじりコイルばね）が組み込まれている。
【００７１】
係脱作動部材２３１は、係合ばね２０７に抗して、短腕２３２の先端部（係脱作動部材２３１の先端部２３２ａ）で、上記の入力部材２０５の作動突起２１２に係合すると共に、長腕２３３の先端部（係脱作動部材２３１の尾端部２３３ａ）で、蹴出し部材２０３の係合溝２２８に係合する。
【００７２】
係脱作動部材２３１は、開閉ハンドル５の開操作に連動して入力部材２０５が回動すると、その先端部２３２ａが作動突起２１２の回動方向前端面（クランク突起２１１から遠い端面）と係合して、蹴出し部材２０３を突出させる方向に回動する。そして、開閉ハンドル５の開操作の完了直前、すなわち、入力部材２０５の作動突起２１２が略下向き位置となる直前には、係脱作動部材２３１の先端部２３２ａは作動突起２１２の先端と係合し（図１１および図１２（ｃ）参照）、さらに入力部材２０５が回動すると、先端部２３２ａは作動突起２１２から離反する。
【００７３】
そして、係脱作動部材２３１の先端部２３２ａと作動突起２１２とが離反することで、開閉ハンドル５の回動操作（開操作）が係脱作動部材２３１に伝達されなくなるため、係脱作動部材２３１と蹴出し機構２０４との係合が解除される。つまり、蹴出し部材２０３が突出した後は、開閉ハンドル５の開操作が係脱作動部材２３１に伝達されないことになる。このため、突出した蹴出し部材２０３を戻しばね２０６により自動的且つ即座に没入させることができる。したがって、上吊りスライディング障子３の開放状態において、蹴出し部材２０３およびフック部材２０１の双方を没入させておくことができ、通行の邪魔となることがない。
【００７４】
また、このとき、係脱作動部材２３１が、その尾端部２３３ａが蹴出し部材２０３の係合溝２２８に係合しているため、蹴出し部材２０３の没入により、係合ばね２０７に抗して蹴出し部材２０３を突出させる方向（正方向）とは逆方向に回動し、開閉ハンドル５の開操作開始時の位置に戻る。（図１２（ｄ）参照）。つまり、係合ばね２０７が係脱作動部材２３１を正方向に回動付勢する付勢力よりも、戻しばね２０６が蹴出し部材２０３を介して係脱作動部材２３１を逆方向に回動付勢する付勢力の方が強くなっている。
【００７５】
一方、係脱作動部材２３１は、開閉ハンドル５の閉操作に連動して入力部材２０５が回動すると、その先端部２３２ａが作動突起２１２の回動方向前端面（クランク突起２１１から近い端面）と係合して、係合ばね２０７に抗して逆方向に回動する。このとき、係脱作動部材２３１は、上記したように蹴出し部材２０３の係合溝２２８に逃げ面２２８ｂが形成されていることで、係脱作動部材２３１の尾端部２３３ａと係合溝２２８との係合が解除された状態で回動する。そして、開閉ハンドル５の閉操作の完了直前、すなわち、入力部材２０５の作動突起２１２が略横向き位置となる直前には、係脱作動部材２３１の先端部２３２ａと作動突起２１２の先端とが係合する（図１３（ｃ）参照）。
【００７６】
さらに入力部材２０５が回動すると、先端部２３２ａは作動突起２１２から離反し、係脱作動部材２３１は、係合ばね２０７に回動付勢されて尾端部２３３ａが係合溝２２８と係合するまで正方向に回動し、元の位置に戻る（図１３（ｄ）参照）。
【００７７】
ここで、図１２および図１３を参照して、開閉ハンドル５の開操作および閉操作による錠装置１７２の一連の動作について説明する。まず、開閉ハンドル５を開操作することで、フック部材２０１を解錠動作させる。すなわち、入力部材２０５のクランク突起２１１が上向き位置から横向き位置へと回動し、リンクバー２２１（リンク機構）を介してその回動がフック部材２０１へ伝達され、フック部材２０１は、フック規制ばね２２２による上記の付勢を受けながら、施錠位置から解錠位置へと回動する。
【００７８】
また、フック部材２０１の解錠動作に連動して、蹴出し部材２０３を突出させる。すなわち、入力部材２０５の作動突起２１２が横向き位置から下向き位置へと回動し、係脱作動部材２３１を介してその回動が蹴出し部材２０３へ伝達されると、蹴出し部材２０３は、蹴出し開口１９４から突出すると共に、戻しばね２０６に付勢されてケース本体１９１に没入する。そして、開操作の完了直前に、入力部材２０５の作動突起２１２が係脱作動部材２３１の先端部２３２ａから離反することで、蹴出し機構２０４と蹴出し部材２０３との係合が解除される。このように、開閉ハンドル５の開操作で、フック部材２０１の解錠および蹴出し部材２０３の蹴出しを行うことができる。
【００７９】
一方、開閉ハンドル５を閉操作することで、フック部材２０１を施錠動作させる。すなわち、解錠動作と同様に、入力部材２０５のクランク突起２１１が横向き位置から上向き位置へと回動し、リンクバー２２１を介してその回動がフック部材２０１へ伝達され、フック部材２０１は、フック規制ばね２２２による上記の付勢を受けながら、解錠位置から施錠位置へと回動する。
【００８０】
ここで、上記のように、開操作の完了直前に、蹴出し機構２０４と蹴出し部材２０３との係合が解除されているため、開閉ハンドル５を閉操作することで、開閉ハンドル５の回動が蹴出し部材２０３に伝達されることがなく、蹴出し部材２０３を突出させることがない。すなわち、係脱作動部材２３１が蹴出し部材２０３との係合が解除された状態で、回動するのみである。このように、開閉ハンドル５の閉操作で、フック部材２０１の施錠のみを行うことができる。
【図面の簡単な説明】
【００８１】
【図１】実施形態に係る上吊り式の片引き掃出し窓の屋内側の姿図である。
【図２】片引き掃出し窓の上吊りスライディング障子部分の縦断面図である。
【図３】片引き掃出し窓のフィックス障子部分の縦断面図である。
【図４】片引き掃出し窓の上吊りスライディング障子を閉塞した状態の横断面図である。
【図５】片引き掃出し窓の上吊りスライディング障子を開放した状態の横断面図である。
【図６】（ａ）は上枠の戸先上ガイドブロック廻りの底面図、（ｂ）は上吊り式の片引き掃出し窓の戸先上ガイドブロック廻りの縦断面図である。
【図７】（ａ）は上枠の戸尻上ガイドブロック廻りの底面図、（ｂ）は上吊り式の片引き掃出し窓の戸尻上ガイドブロック廻りの縦断面図である。
【図８】（ａ）は上吊り式の片引き掃出し窓の戸先下ガイドブロック廻りの縦断面図、（ｂ）は下枠の戸先下ガイドブロック廻りの横断面図である。
【図９】（ａ）は上吊り式の片引き掃出し窓の戸尻下ガイドブロック廻りの縦断面図、（ｂ）は下枠の戸尻下ガイドブロック廻りの横断面図である。
【図１０】（ａ）は施錠状態における錠装置廻りの横断面図、（ｂ）は施錠状態における錠装置廻りの縦断面図である。
【図１１】（ａ）は解錠動作時における錠装置廻りの横断面図、（ｂ）は解錠動作時における錠装置廻りの縦断面図である。
【図１２】解錠動作時における錠装置の縦断面図である。
【図１３】施錠動作時における錠装置の縦断面図である。
【符号の説明】
【００８２】
１…片引き掃出し窓  ２…窓枠  ３…上吊りスライディング障子  １２…下枠  ４６…可動障子支持部  ５４…下ガイドアタッチメント  ５６…ガイド溝部  ５７…足着突部  ９０…シール部材  １１７…ガイド突起  Ａ…居室床  Ｂ…デッキ床
【図１】
2006328918.tif 000003
【図２】
2006328918.tif 000004
【図３】
2006328918.tif 000005
【図４】
2006328918.tif 000006
【図５】
2006328918.tif 000007
【図６】
2006328918.tif 000008
【図７】
2006328918.tif 000009
【図８】
2006328918.tif 000010
【図９】
2006328918.tif 000011
【図１０】
2006328918.tif 000012
【図１１】
2006328918.tif 000013
【図１２】
2006328918.tif 000014
【図１３】
2006328918.tif 000015